(57)【要約】【課題】原稿の両面の読取速度が異なるとき、各面の読取速度に合わせた読取速度で原稿を読み取れるようにする。【解決手段】画像読取装置２００は、原稿の両面を同じ読取速度で読み取る場合、原稿を、順送路２２８を一定の搬送速度で搬送させて、原稿の両面を画像読取ユニット２１０とＣＩＳ２２０とに読み取らせる。そして、画像読取装置２００は、原稿の両面を異なる読取速度で読み取る場合、原稿を、順送路２２８を搬送させて、原稿の一方の面を画像読取ユニット２１０に読み取らせて、原稿を反転路２２９で反転搬送させた後、搬送速度を変えて、再度、順送路２２８を搬送させて、原稿の他方の面を、再度、画像読取ユニット２１０に読み取らせるので、原稿の両面の読取速度が異なっていても、各面の読取速度に合わせた読取速度で原稿を読み取れる。【選択図】図３
2014165875.tif 000002
【特許請求の範囲】
【請求項１】
搬送される原稿の表面を読み取る第１の読取手段と、
搬送される該原稿の裏面を読み取る第２の読取手段と、
原稿を所定の搬送速度で前記第１の読取手段及び前記第２の読取手段に搬送する原稿搬送手段と、
前記第１の読取手段と前記第２の読取手段と前記原稿搬送手段とを制御する制御手段と、を備え、
前記制御手段は、原稿の両面を読み取るときに原稿の搬送速度を原稿の表面と裏面とで異なる速度でおこなう場合、前記第１の読取手段及び前記第２の読取手段のうちの一方の読取手段で原稿の一方の面を読み取った後、該原稿の他方の面を前記一方の読取手段で前記搬送速度を変更して読み取らせる、
ことを特徴とする画像読取装置。
【請求項２】
前記一方の読取手段は他方の読取手段より画像読取品質が高い、
ことを特徴とする請求項１に記載の画像読取装置。
【請求項３】
前記原稿搬送手段は、原稿を前記第１の読取手段と前記第２の読取手段とに案内する順送路と、該原稿を表裏反転して前記順送路との合流点に案内する反転路とを有し、
前記制御手段は、原稿の両面を同じ搬送速度で搬送して読み取る場合、原稿を前記原稿搬送手段の前記順送路を一定の搬送速度で搬送させて、該原稿の両面を前記第１の読取手段と前記第２の読取手段とに読み取らせ、原稿の両面を異なる読取速度で読み取る場合、原稿を前記原稿搬送手段の前記順送路を搬送させて、該原稿の一方の面を前記第１の読取手段と前記第２の読取手段との一方の読取手段に読み取らせて、該原稿を前記反転路で反転搬送させた後、再度、前記順送路を搬送し、搬送速度を変えて該原稿の他方の面を前記一方の読取手段に読み取らせる、
ことを特徴とする請求項１又は２に記載の画像読取装置。
【請求項４】
前記反転路は、前記順送路の下流端部に接続する原稿排出部を含み、該原稿排出部にてスイッチバックして原稿の表裏を反転し、該原稿を前記合流点に向けて案内する、
ことを特徴とする請求項３に記載の画像読取装置。
【請求項５】
前記原稿搬送手段は、原稿を搬送する回転体対を備え、
前記制御手段は、前記順送路の下流端部に接続する原稿排出部に設けられた回転体対の回転方向と、前記順送路に設けられて、前記一方の読取手段に原稿を搬送する回転体対の回転速度とを変更させる、
ことを特徴とする請求項３又は４に記載の画像読取装置。
【請求項６】
前記制御手段は、原稿の一方の面が他方の面に対して読取倍率が大きい場合、前記一方の読取手段に該原稿の一方の面を読み取らせるとき、他方の面を読み取らせるときよりも、該原稿の搬送速度を遅くする、
ことを特徴とする請求項１乃至５のいずれか１項に記載の画像読取装置。
【請求項７】
前記制御手段は、原稿の一方の面がカラー画像であり、他方の面がモノクロ画像である場合、前記一方の読取手段に前記カラー画像を読み取らせるとき、前記モノクロ画像を読み取らせるときよりも、該原稿の搬送速度を遅くする、
ことを特徴とする請求項１乃至５のいずれか１項に記載の画像読取装置。
【請求項８】
原稿の画像を読み取る画像読取装置と、
前記画像読取装置によって読み取られた画像をシートに形成する画像形成部と、を備え、
前記画像読取装置は、請求項１乃至７のいずれか１項に記載の画像読取装置である、
ことを特徴とする画像形成装置。
【発明の詳細な説明】
【技術分野】
【０００１】
本発明は、原稿の両面を読み取ることができる画像読取装置及びこの画像読取装置を備えた画像形成装置に関する。
【背景技術】
【０００２】
従来、原稿の両面を読み取る画像読取装置は、１つの読取手段で、原稿の一方の面を読み取った後、原稿を表裏反転し、再度、搬送し直して、裏面を読み取るようになっている。このような画像読取装置は、原稿を表裏反転させるため、原稿の読取に時間を要するという問題がある。そこで、原稿の読取時間を短縮するため、原稿の裏面に対向させて裏面を読み取る読取手段を追加配置して、一度の搬送で両面を読み取る（以下、「両面同時読み」という）画像読取装置がある（特許文献１）。なお、画像読取装置は、画像読取手段の光を原稿に照射し、反射した光を受けて、原稿を読み取るようになっている。
【先行技術文献】
【特許文献】
【０００３】
【特許文献１】特開２００５−１２４４２号公報
【発明の概要】
【発明が解決しようとする課題】
【０００４】
ところで、画像読取装置は、例えば、原稿の拡大縮小読取において、倍率が高い場合、倍率が低い場合よりも、原稿の搬送速度を遅くして原稿を読み取るようになっている。しかし、両面同時読みの画像読取装置は、表面（おもて面）と裏面（うら面）とを、例えば、異なる拡大縮小の倍率で原稿を読み取る場合、倍率が高い方の面に合わせた遅い読取速度で表面と裏面とを読み取ることになる。このため、倍率の低い方の面は、読取手段の照射時間が長くなり、原稿の両面の読取条件が異なり、画像形成装置が、原稿を複写したとき、両面の画質が異なり、見栄えが低下するという問題があった。
【０００５】
本発明は、両面同時読み画像読取装置において、原稿の両面の読取速度が異なるとき、各面の読取速度に合わせた読取速度で原稿を読み取れる画像読取装置、及びこの画像読取装置を備えた画像形成装置を提供することにある。
【課題を解決するための手段】
【０００６】
本発明の画像読取装置は、搬送される原稿の表面を読み取る第１の読取手段と、搬送される該原稿の裏面を読み取る第２の読取手段と、原稿を所定の搬送速度で前記第１の読取手段及び前記第２の読取手段に搬送する原稿搬送手段と、前記第１の読取手段と前記第２の読取手段と前記原稿搬送手段とを制御する制御手段と、を備え、前記制御手段は、原稿の両面を読み取るときに原稿の搬送速度を原稿の表面と裏面とで異なる速度でおこなう場合、前記第１の読取手段及び前記第２の読取手段のうちの一方の読取手段で原稿の一方の面を読み取った後、該原稿の他方の面を前記一方の読取手段で前記搬送速度を変更して読み取らせる、ことを特徴としている。
【０００７】
本発明の画像形成装置は、原稿の画像を読み取る画像読取装置と、前記画像読取装置によって読み取られた画像をシートに形成する画像形成部と、を備え、前記画像読取装置は、上記の画像読取装置である、ことを特徴としている。
【発明の効果】
【０００８】
本発明の画像読取装置は、原稿の両面の読取速度が異なる場合、１つの読取手段で原稿の一方の面を読み取って、その原稿を表裏反転させた後、搬送速度を変えて原稿の他方の面を読み取るようになっている。このため、本発明の画像読取装置は、原稿が必要とする読取速度に合わせて、原稿を搬送することができて、原稿を最適な状態で読み取ることができる。
【０００９】
また、本発明の画像形成装置は、原稿の必要とする読取速度に合わせて原稿を最適な状態で読み取ることができる画像読取装置を備えているので、原稿をシートに複写したとき、シートの両面の画質を同じにすることができて、見栄えを良くすることができる。
【図面の簡単な説明】
【００１０】
【図１】本発明の実施形態に係る画像形成装置の全体構成を示すブロック図である。
【図２】図１の画像形成装置の内部構成を模式的に示す、シート搬送方向に沿った断面概略図である。
【図３】図２における本発明の実施形態に係る画像読取装置の部分拡大図である。
【図４】図１の操作部の平面図である。
【図５】図１の画像読取装置を制御する画像読取装置とリーダ制御装置のブロック図である。
【図６】ＣＣＤとＣＩＳとから出力された画像信号が図５の各画像処理部から出力されるまでのタイミングチャートである。
【図７】図５のＭＵＸから出力される画像信号の順序を示す図である。
【図８】図４のＬＣＤタッチパネルのコピー標準画面を示す図である。
【図９】図８から倍率設定画面に変わったときのＬＣＤタッチパネルの図である。
【図１０】図９から全ての頁を同じ倍率に設定できる画面に変わった図である。
【図１１】図９から頁毎に倍率を設定できる画面に変わった図である。
【図１２】画像読取装置の原稿読取動作を説明するためのフローチャートである。
【図１３】ＣＩＳの設ける位置が図１と異なっている画像読取装置の部分拡大図である。
【発明を実施するための形態】
【００１１】
図１は本発明の実施形態に係る画像形成装置の全体構成を示すブロック図である。
【００１２】
画像形成装置１００は、図１に示すように、画像読取装置（画像入力装置）２００と、プリンタ部３００と、制御装置１１０とを備えている。画像読取装置２００は、原稿画像を光学的に読み取り、画像データに変換するようになっている。画像読取装置２００は、原稿を読み取るための画像読取ユニット２１０と、原稿を搬送するための自動原稿供給ユニット（ＡＤＦ）２５０とを有している。
【００１３】
プリンタ部（画像出力装置）３００は、シートとしての記録紙Ｐを搬送し、その記録紙上に画像データを可視画像として印字して装置外に排出するようになっている。プリンタ部３００は、複数種の記録紙カセットを有する給紙ユニット３６０と、画像データを記録紙に転写、定着させるためのマーキングユニット３２０と、印字された記録紙を機外へ排紙するための排紙ユニット３３０と、フィニッシャ５００とを有している。なお、フィニッシャ５００は、ステープル処理およびソート処理を行うようになっているが、必ずしも必要としない。
【００１４】
制御装置１１０は、画像読取装置２００およびプリンタ部３００と電気的に接続されている。また、制御装置１１０は、ネットワーク（以下、ＬＡＮ（Ｌｏｃａｌ  Ａｒｅａ  Ｎｅｔｗｏｒｋ）という）７００を介して、ホストコンピュータ（ＰＣ）７０１，７０２にも接続されている。制御装置１１０は、ＦＡＸ回線１２８と接続されるモデム（図示せず）を内蔵している。
【００１５】
制御装置１１０は、画像読取装置２００とプリンタ部３００とを制御して、記録紙に原稿の画像を複写するようになっている。複写機能は、画像読取装置２００で原稿を読み取り、プリンタ部３００で原稿の読み取りによって得られた画像データを記録紙に出力するものである。また、制御装置１１０は、画像読取装置２００から得られた画像データをコードデータに変換し、ＬＡＮ７００を介してホストコンピュータ７０１，７０２へ送信するスキャナ機能を備えている。さらに、制御装置１１０は、ホストコンピュータ７０１，７０２からＬＡＮ７００を介して受信したコードデータを画像データに変換し、プリンタ部３００に出力するプリンタ機能も備えている。また、制御装置１１０には操作部１５０が接続されている。操作部１５０は、例えば、液晶タッチパネルなどの表示板を備えて、画像形成装置１００を操作するためのユーザＩ／Ｆ（インタフェース）の役目をしている。
【００１６】
次に、画像読取装置２００とプリンタ部３００を、図２、図３を参照しながら説明する。図２は、図１の画像読取装置２００とプリンタ部３００の記録紙搬送方向に沿った断面図である。図３は、画像読取ユニットの部分拡大図である。
【００１７】
画像読取装置２００の自動原稿供給ユニット２５０は、原稿トレイ２２３に載置された原稿を先頭順に１枚ずつプラテンガラス２１１上へ給送し、原稿の読取動作終了後、プラテンガラス２１１上の原稿を排出トレイ２１９に排出するようになっている。原稿トレイ２２３に載置される原稿は、表面を上にして載置されるものとする。原稿がプラテンガラス２１１上に搬送されると、光源２１２が点灯される。そして、光学ユニット２１３により原稿面が露光走査される。
【００１８】
原稿を読み取る形態には、プラテンガラス２１１上に載置された原稿を読み取る固定読みと、プラテンガラス２１１上に沿って搬送される原稿を読み取る流し読みとがある。固定読みの場合、光学ユニット２１３が、図２の左右方向である副走査方向に移動することによって、原稿面の露光走査が行う。これに対し、流し読みの場合、光学ユニット２１３が所定位置に停止して、原稿面の露光走査が行う。図２において、光学ユニット２１３が停止している位置が、流し読みの際の、光学ユニット２１３の停止位置である。
【００１９】
いずれの原稿読取形態においても、原稿からの反射光は、ミラー２１４，２１５，２１６およびレンズ２１７からなる縮小光学系によってＣＣＤイメージセンサ（以下、ＣＣＤという）２１８へ導かれる。このように、原稿の画像は、走査されて、ＣＣＤ２１８によって読み取られる。ＣＣＤ２１８から出力される画像データは、所定の処理が施された後、制御装置１１０へ転送される。
【００２０】
自動原稿供給ユニット２５０は、原稿の表面（おもて面）を読み取るＣＣＤ２１８と、原稿の裏面（うら面）を等倍で読み取るコンタクトイメージセンサ（以下、ＣＩＳという）２２０とを備えている。ＣＣＤ２１８とＣＩＳ２２０との原稿読取面は、原稿の両面側に位置している。また、自動原稿供給ユニット２５０は、原稿位置を検知するＤＦセンサ２２１（図３、図５）、原稿を搬送するＤＦ駆動部２２２なども備えて、原稿を搬送したり、画像を読み取ったりすることができるようになっている。
【００２１】
原稿トレイ２２３に積載された原稿Ｄは、ピックアップローラ２２４によって自動原稿供給ユニット２５０内に給送されて、搬送ローラ対２２５，２２６によって、プラテンガラス２１１上に搬送される。プラテンガラス２１１に搬送された原稿は、プラテンガラス２１１の下に停止している光学ユニット２１３の光源２１２によって表の面（一方の面）に光を照射される。反射光は、レンズ２１７を介して、ＣＣＤ２１８に受光される。この結果、原稿の表の面が読み取られる。そして、原稿は、搬送ローラ対２２６、排出ローラ対２２７によって搬送され、ＣＩＳ２２０によって原稿の裏の面（他方の面）を読み取られて、排出トレイ２１９に排出される。原稿トレイ２２３から排出トレイ２１９まで、原稿を案内する搬送路は、順送路２２８である。順送路２２８の下流端部に原稿排出部２２８ａが接続されている。
【００２２】
ＣＣＤ２１８のみで原稿の表裏面（両面）を読み取る場合、ＣＩＳ２２０は、原稿の裏面を読み取らない。このため、原稿は、表面をＣＣＤ２１８で読み取られて、後端が、切替部材２３０とＣＩＳ２２０とを通過した後、順送路２２８の下流端部の原稿排出部２２８ａにて、表裏反転される。切替部材２３０は、搬送ローラ対２２６とＣＩＳ２２０との間に位置して、原稿の後端が通過すると、実線の位置から破線の位置に、不図示のプランジャによって切り替わる。反転路２２９は、順送路２２８の下流端部の原稿排出部２２８ａにて、排出ローラ対２２７の正回転から逆回転への回転方向の変更によって、順送から逆送に搬送方向が変更されて反転搬送される原稿を、スイッチバック案内をして表裏反転案内をする。そして、反転路２２９は、表裏反転された原稿を順送路２２８との合流点ＧＰに案内する。原稿は、排出ローラ対２２７の逆回転によって、搬送ローラ対２２６に搬送され、その後、搬送ローラ対２２６によって、順送路２２８を搬送されて、光学ユニット２１３の上を通過して裏面を読み取られる。このとき、搬送ローラ対２２６は、原稿の表面を、光学ユニット２１３上を通過させたときの回転速度より遅い回転速度に変更されて、原稿を遅い搬送速度で光学ユニット２１３上を通過させる。最後、原稿は、正転状態に戻っている排出ローラ対２２７によって、排出トレイ２１９に排出される。
【００２３】
ピックアップローラ２２４と、回転体対としての搬送ローラ対２２５，２２６及び排出ローラ対２２７と、順送路２２８と、反転路２２９と、切替部材２３０と、ローラを回転させるモータ等は、原稿搬送手段としてのＤＦ駆動部２２２を構成している。
【００２４】
プリンタ部３００は、レーザ発光部３２２を駆動するレーザドライバ３２１を備えている。レーザドライバ３２１は、制御装置１１０から出力された画像データに応じたレーザ光を発光するようにレーザ発光部３２２を駆動する。このレーザ発光部３２２から発光されたレーザ光は、感光ドラム３２３に照射される。感光ドラム３２３上には、レーザ光によって、潜像が形成される。潜像は、現像器３２４から供給される現像剤（トナー）によって現像剤像（トナー画像）として可視像化される。感光ドラム３２３、現像器３２４、転写部３２５等は、画像形成部３２８を形成している。
【００２５】
そして、レーザ光の照射開始と同期したタイミングで、各カセット３１１，３１２，３１３，３１４、手差し給紙段３１５のいずれからか記録紙が搬送路３３１に沿って転写部３２５に給送される。給送された記録紙には、転写部３２５によって、感光ドラム３２３上の現像剤像が転写される。現像剤像が転写された記録紙は、搬送ベルト３２６によって定着部３２７に搬送されて、定着部３２７に熱と圧力を加えられ、現像剤像が定着される。その後、定着部３２７を通過した記録紙は、搬送路３３５を経て搬送路３３４へ排出される。なお、感光ドラム３２３、現像器３２４、転写部３２５等は、画像形成部３２８を形成している。
【００２６】
また、印字面を反転して排出する場合、記録紙は、搬送路３３６を経て搬送路３３８まで搬送されて、搬送路３３８で逆方向に搬送され、搬送路３３７を経て搬送路３３４に排出される。さらに、両面記録が設定されている場合、定着部３２７を通過した記録紙は、フラッパ３２９によって、搬送路３３６から搬送路３３３に導かれ、その後、逆方向に搬送されて、フラッパ３２９によって、搬送路３３８を経て再給紙搬送路３３２へ導かれる。再給紙搬送路３３２へ導かれた記録紙は、上述したタイミングで搬送路３３１を経て転写部３２５へ給送される。
【００２７】
プリンタ部３００の搬送路３３４から排出された記録紙は、フィニッシャ５００へ搬送される。フィニッシャ５００において、プリンタ部３００からの記録紙は、まず、バッファユニット５０１へ送られる。バッファユニット５０１は、バッファユニット５０１の下流で行われるステープル処理（綴じ処理）に時間を要する場合、ステープル処理中に本体から搬送されてくる記録紙をバッファローラに巻きつけてバッファリング（貯留）する。バッファユニット５０１が記録紙をバッファリングすることによって、フィニッシャ５００は、記録紙の搬送速度を一定に保つことができて、スループットを向上させることができる。バッファユニット５０１を通過した記録紙は、上流排出ローラ対５０２および下流排出ローラ対５０３により、排出トレイ５０７ａに排出される。
【００２８】
ステープルモード（綴じモード）の場合、記録紙は、上流排出ローラ対５０２で搬送され、記録紙の後端が上流排出ローラ対５０２を抜けた直後に、ローレットベルト５０４によって上流側に引き戻され、ステープルトレイ５０５に積載される。そして、所定の枚数の記録紙がステープルトレイ５０５に束状に積載される。記録紙束は、ステープルユニット５０６によるステープル処理によって綴じられて、下流排出ローラ対５０３により排出トレイ５０７ａに排出される。なお、フィニッシャ５００は、排出トレイ５０７ａの他に、排出トレイ５０７ｂを備えている。排出トレイ５０７ａ，５０７ｂは、連動して駆動ユニット（図示せず）により昇降するようになっている。また、図２においては、排出トレイ５０７ａは、排出された記録紙を受け入れる位置に停止しているが、排出トレイ５０７ａ，５０７ｂが上昇して、排出トレイ５０７ｂに排出できるようにしてもよい。
【００２９】
次に、図４を参照しながら操作部１５０を説明する。図４は、図１の操作部１５０の詳細平面図である。
【００３０】
操作部１５０は、図４に示すように、主なモード設定、状況表示を行うためのＬＣＤタッチパネル６００と、各種キー６０１乃至６０８，６１０乃至６１５と、ソフト電源スイッチ６０９と、各種ＬＥＤ６１６乃至６１８とが設けられている。
【００３１】
キー６０１は、０乃至９までの数値を入力するためのテンキーである。キー６０２はＩＤキーであり、装置が部門管理されている場合に部門番号と暗証モードとを入力する際に使用されるキーである。キー６０３は、設定されたモードをリセットするためのリセットキーである。キー６０４は、各モードについての説明画面を表示するためのガイドキーである。キー６０５は、ユーザモード画面に入るためのユーザモードキーである。キー６０６は、割り込みコピーを行うための割り込みキーである。キー６０７は、コピー動作をスタートさせるためのスタートキーである。キー６０８は実行中のコピージョブを中止させるためのストップキーである。
【００３２】
ソフト電源スイッチ６０９は、装置を低電力状態にするためのスイッチである。ソフト電源スイッチ６０９は、ユーザによって押されると、ＬＣＤタッチパネル６００のバックライトを消して、装置を低電力状態にするキーである。キー６１０は、節電キーであり、ユーザによって押されると、装置が節電状態になり、再度、押されると、装置が節電状態から復帰する。
【００３３】
ファンクションキー６１１，６１２，６１３は、コピー、ボックス、拡張機能に移行させるためのキーである。図４のＬＣＤタッチパネル６００は、ユーザがファンクションキー６１１を押したときの標準画面であり、ユーザが他のファンクションキー６１２，６１３を押すと、各キーに対応した機能の標準画面に変わるようになっている。キー６１４は、ＬＣＤタッチパネル６００のコントラストを調整するための調整キーである。キー６１５は、カウンタ確認キーであり、ユーザがこのキーを押すと、それまでに使用したコピーの集計枚数を表示するカウント画面がＬＣＤタッチパネル６００に表示される。ＬＥＤ６１６は、ジョブの実行中、画像メモリへの画像蓄積中を示すＬＥＤである。ＬＥＤ６１７は、ジャム、ドアオープンなど、装置がエラー状態にあることを示すエラーＬＥＤである。ＬＥＤ６１８は、装置のメインスイッチがＯＮになっていることを示す電源ＬＥＤである。
【００３４】
次に、図１の画像読取装置２００を制御するリーダ制御装置４００を、図５を参照しながら説明する。図５は、リーダ制御装置４００の構成を示すブロック図である。
【００３５】
図１の画像読取装置２００を制御する図５のリーダ制御装置４００は、リーダＣＰＵ４０７、ＦＩＦＯ４０３，４０４、およびＭＵＸ４０５を有している。リーダＣＰＵ４０７は、図１の制御装置１１０のＣＰＵ１２０と信号の授受を行うようになっている。制御装置１１０は、画像形成装置１００全体を制御するようになっており、リーダ制御装置４００は画像形成装置１００の指令に基づいて、画像読取装置２００を制御するようになっている。このため、ＣＰＵ１２０はマスター、リーダＣＰＵ４０７はスレーブの関係にある。なお、制御手段としての制御装置１１０とリーダ制御装置４００は、いずれか一方が他方に組み込まれて、一体化されていてもよい。
【００３６】
リーダＣＰＵ４０７には、システムバス４０６を介して、２つの画像処理部４０１，４０２、２つのＦＩＦＯ（Ｆｉｒｓｔ−Ｉｎ  Ｆｉｒｓｔ−Ｏｕｔのスタック）４０３，４０４、およびマルチプレクサ（以下、ＭＵＸという）４０５が接続されている。また、リーダＣＰＵ４０７には、ＣＣＤ２１８、ＣＩＳ２２０、ＤＦセンサ２２１、およびＤＦ駆動部２２２も接続されている。
【００３７】
画像処理部４０１は、図１のＣＣＤ２１８からの画像信号のシェーディング、ガンマ補正などの画像処理を行うものである。同様に、画像処理部４０２も、図１のＣＩＳ２２０からの画像信号の処理を行うものである。ＦＩＦＯ４０３は、画像処理部４０１からの出力信号を一度蓄積するようになっている。ＦＩＦＯ４０３に蓄積された信号は、蓄積された順番に所定のタイミングでＭＵＸ４０５によって読み出されるようになっている。同様に、ＦＩＦＯ４０４も、画像処理部４０２からの出力信号を一度蓄積するようになっている。ＦＩＦＯ４０４に蓄積された信号は、蓄積された順番に所定のタイミングでＭＵＸ４０５によって読み出されるようになっている。ＭＵＸ４０５は、ＦＩＦＯ４０３、ＦＩＦＯ４０４にそれぞれ蓄積された画像を交互に取り込み、これらを制御装置１１０にシリアルに送信するものである。
【００３８】
次に、図１の画像形成装置１００により実行される両面同時読みについて、図６と図７を参照しながら説明する。なお、両面同時読みとは、原稿の両面をＣＣＤ２１８とＣＩＳ２２０とで、１回で流し読みすることであり、読み取った原稿の表と裏を複写するときの表と裏の拡大縮小の倍率が同じ場合に行われる。このため、原稿の両面をＣＣＤ２１８とＣＩＳ２２０との一方が先に原稿の一方の面を読み取り、他方が後から他方の面を読み取る場合と、ＣＣＤ２１８とＣＩＳ２２０とが原稿の表裏（両面）を同時に読み取る場合とがある。本発明の実施の形態は、前者の場合であるが、後者の場合であってもよい。したがって、本発明は、前者の場合のみに限定されるものではない。また、原稿の表と裏の拡大縮小の倍率が異なるときの原稿の両面の読み取りは、後述するが、ＣＣＤ２１８で原稿の表を流し読みし、その後、原稿を裏返しにして原稿の裏をＣＣＤ２１８で、再度、流し読みして行われる。この場合、原稿の表と裏を読み取るときの原稿の搬送速度が、原稿の表と裏の拡大縮小の倍率の差に応じて異なっている。
【００３９】
図６は、図２、図５のＣＣＤ２１８、ＣＩＳ２２０から出力された画像信号がそれぞれ画像処理部４０１、画像処理部４０２から出力されるまでのタイミングチャートを示す図である。図７は、図５のＭＵＸ４０５から出力される画像信号の順序を示す図である。
【００４０】
両面同時読みが指定された状態で、自動原稿供給ユニット２５０から原稿が搬送されると、ＣＣＤ２１８で原稿の表面が、ＣＩＳ２２０で原稿の裏面が読み取られる。この場合、ＤＦ駆動部２２２は、原稿を一定の搬送速度で搬送する。図６（Ａ）、（Ｂ）に示すように、まず、１枚目の原稿の表面がＣＣＤ２１８により、その裏面がＣＩＳ２２０によりそれぞれ読み取られる。続いて、２枚目の原稿の表面がＣＣＤ２１８により、その原稿の裏面がＣＩＳ２２０によりそれぞれ読み取られる。これにより、ＣＣＤ２１８から、１枚目の原稿の表面と２枚目の原稿の表面との画像信号が順に出力されて、その両方の信号は、画像処理部４０１で処理された後に、図５のＦＩＦＯ４０３に蓄積される。同様にして、ＣＩＳ２２０から、１枚目の原稿の裏面と２枚目の原稿の裏面との画像信号が順に、ＣＣＤ２１８からの画像信号より僅かに遅れて出力されて、その両方の信号は、画像処理部４０２で処理された後に、ＦＩＦＯ４０４に蓄積される。
【００４１】
図１の画像読取装置２００を制御する図５のリーダ制御装置４００は、ＭＵＸ４０５を備えている。ＭＵＸ４０５は、ＦＩＦＯ４０３から１枚目の原稿の表面の画像信号を、続いて、ＦＩＦＯ４０４から１枚目の原稿の裏面の画像信号を受け取る。そして、ＭＵＸ４０５は、ＦＩＦＯ４０３から２枚目の原稿の表面の画像信号を、続いて、ＦＩＦＯ４０４から２枚目の原稿の裏面の画像信号を受け取る。このように、ＭＵＸ４０５は、読取経過時間Ｔに従って、各原稿の表面の画像信号、裏面の画像信号を交互にＦＩＦＯ４０３，４０４から受け取る。
【００４２】
そして、ＭＵＸ４０５から、図７に示すように、１枚目の原稿の表面の画像信号、１枚目の原稿の裏面の画像信号、２枚目の原稿の表面の画像信号、２枚目の原稿の裏面の画像信号という順に各原稿の表面、裏面の画像信号が、順次、制御装置１１０に送信される。これにより、制御装置１１０は、原稿の表面、裏面の各信号に対して、並列処理を行わず、原稿を反転させて裏面を読む一般的な両面読みの処理と同様の処理を行って、両面同時読みを行える。
【００４３】
次に、ＣＰＵ１２０、リーダＣＰＵ４０７によって行われる画像形成装置の制御を図８乃至図１２を参照しながら説明する。図８は、図４のＬＣＤタッチパネル６００に表示されるコピーの標準画面の一例を示す図である。図９、図１０、図１１は倍率設定の一例を示す図である。図１２はコピータスクの処理手順を示すフローチャートである。
【００４４】
ＬＣＤタッチパネル６００には、図８に示すようなコピーの標準画面が表示されている。この標準画面には、倍率設定を行う倍率設定キー９０１が表示されている。ユーザが倍率設定キー９０１を選択すると、ＬＣＤタッチパネル６００の画面は、図９に示す倍率設定の画面に変わる。
【００４５】
図９の倍率設定の画面には、原稿の全ての頁を同じ拡大縮小の倍率に設定するキー９０２と、原稿の頁毎に異なる拡大縮小の倍率に設定するキー９０３とが表示される。原稿の全ての頁を同じ拡大縮小の倍率に設定するキー９０２を選択すると、ＬＣＤタッチパネル６００の画面が、図１０に示す、倍率設定キー９０５が表示された画面に変わる。ユーザは、倍率数値画面９０５ａを見ながら、＋の拡大キー９０５ｂと−の縮小キー９０５ｃとで、拡大縮小の倍率を設定し、終了キー９０６を選択する。これによって、原稿の全ての頁の拡大縮小の倍率が同じに設定されて、制御装置１１０のＲＡＭ１２１に記憶される。すなわち、全ての原稿の表の頁と裏の頁との拡大縮小の倍率が同じに設定される。なお、制御装置１１０のＲＯＭ１２２には、図１２に示す処理プログラムが記憶されている。
【００４６】
図９において、ユーザが原稿の頁毎に異なる拡大縮小の倍率を設定するキー９０３を選択すると、ＬＣＤタッチパネル６００の画面が、図１１に示す、倍率設定キー９０５と、頁数を選択する頁選択キー９１０とが表示される。ユーザは、頁選択キー９１０に原稿の頁数を、頁数表示キー９１０ａを見ながら、＋の増頁キー９１０ｂと−の減頁キー９１０ｃとで頁を選択する。選択した頁の拡大縮小の倍率を＋の拡大キー９０５ｂと−の縮小キー９０５ｃとで設定する。さらに、ユーザは、他の頁を、頁数表示キー９１０ａを見ながら、＋の増頁キー９１０ｂと−の減頁キー９１０ｃとで他の頁を選択する。そして、その選択した頁の拡大縮小の倍率を＋の拡大キー９０５ｂと−の縮小キー９０５ｃとで設定する。このようにして、原稿の所望の全ての頁の拡大縮小の倍率を設定できた後、終了キー９０６を選択する。これによって、原稿の全ての頁の拡大縮小の倍率を所望の倍率に設定されて、制御装置１１０のＲＡＭ１２１に記憶される。すなわち、奇数の頁が原稿の表とし、偶数の頁が原稿の裏とすると、全ての原稿の表の頁と裏の頁との拡大縮小の倍率を異にして設定される。
【００４７】
ユーザによって、原稿の表と裏の拡大縮小の倍率の設定がされた後、原稿が図２の自動原稿供給ユニット２５０の原稿トレイ２２３にセットされる。図４のスタートキー６０７が押されると、画像形成装置１００が、複写動作が開始する。この複写動作を、図１２を参照しながら説明する。図１２は、図１のＣＰＵ１２０、図５のリーダＣＰＵ４０７によって実行される画像形成装置１００の複写動作説明のフローチャートである。
【００４８】
画像形成装置１００が起動されると、まず、ＣＰＵ１２０は、ステップＳ１０１において、原稿の画像の表裏の倍率に差があるかないかを判断する。仮に、差が無い場合（Ｓ１０１でＮＯ）、リーダＣＰＵ４０７は、ＣＰＵ１２０から同倍率コマンドを受け取り（Ｓ１０３）、ＤＦ駆動部２２２を制御して、原稿を設定倍率に応じた速度で搬送して排出トレイ２１９に排出する。この間に、ＣＣＤ２１８が原稿の表を、ＣＩＳ２２０が原稿の裏を読み取る（Ｓ１０５）。ＣＣＤ２１８とＣＩＳ２２０は、最後の原稿まで読み取ると、画像の読み取りが終了し、これにともなった複写動作を終了する。
【００４９】
ステップＳ１０１において、表裏の倍率に差があるとき、リーダＣＰＵ４０７は、ＣＰＵ１２０から異倍率コマンドを受け取り（Ｓ１０７）、先に、原稿の表の倍率コマンドを受け取る（Ｓ１０９）。リーダＣＰＵ４０７は、ＤＦ駆動部２２２を制御して、原稿の表の設定倍率に応じた速度で原稿を搬送して、ＣＣＤ２１８に原稿の表を読み取らせる（Ｓ１１１）。その後、リーダＣＰＵ４０７は、ＤＦ駆動部２２２を制御して、原稿を反転させ（Ｓ１１３）、ＣＰＵ１２０から裏面の倍率コマンドを受け取る（Ｓ１１５）。そして、リーダＣＰＵ４０７は、ＤＦ駆動部２２２を制御して、原稿の裏面の設定倍率に応じた速度に変更して原稿を搬送させて、ＣＣＤ２１８に原稿の裏を読み取らせる（Ｓ１１７）。リーダＣＰＵ４０７は、排出トレイ２１９に排出する原稿の頁順を揃えるため、原稿の両面を読まないで、原稿を、再度、表裏反転させてから、排出トレイ２１９に排出する。ＣＣＤ２１８とＣＩＳ２２０は、最後の原稿まで読み取ると、画像の読み取りが終了し、これにともなった複写動作を終了する。このように、原稿の表裏に倍率の差があるとき、リーダＣＰＵ４０７は、読取倍率が大きい原稿の面を読み取るとき、読取倍率が小さい面を読み取るときよりも、原稿の搬送速度が遅くなるように、ＤＦ駆動部２２２を制御するようになっている。
【００５０】
反転動作は、原稿が、搬送ローラ対２２６と排出ローラ対２２７とによって搬送されて、後端が搬送ローラ対２２６を抜けた後、排出ローラ対２２７の逆転によって、順送路２２８から反転路２２９に表裏反転されて送り込まれる動作のことである。
【００５１】
以上の説明では、原稿の両面の設定倍率が異なる場合、ＣＣＤ２１８で原稿の両面を読み取っているが、ＣＩＳ２２０で原稿の両面を読み取ってもよい。この場合、ＣＩＳ２２０が原稿の裏面を先に読み、その後、原稿の表面を読むことになるので、原稿の頁順が狂うことになる。このため、図５のＭＵＸ４０５から出力される画像信号の順序が調整されて、図７に示すように送り出されるものとする。
【００５２】
また、ＣＩＳ２２０が、ＣＣＤ２１８の光学ユニット２１３の原稿搬送方向の下流に配置されているが、図１３に示すように、上流側に配置されていてもよい。この場合、ＣＩＳ２２０が原稿の裏面を先に読み、ＣＣＤ２１８が原稿の表面を読むことになるので、原稿の頁順が狂うことになる。このため、図５のＭＵＸ４０５から出力される画像信号の順序が調整されて、図７に示すように送り出されるものとする。また、図１３において、原稿の表裏の拡大縮小の倍率が異なる場合も、原稿は、ＣＣＤ２１８によって表面を読まれ、排出ローラ対２２７の反転回転と反転路２２９とによって、表裏反転される。そして、原稿は、搬送速度を変えられて、再度、ＣＣＤ２１８の光学ユニット２１３に送り込まれて、裏面を読み取られる。
【００５３】
なお、画像読取ユニット２１０（ＣＣＤ２１８）と、ＣＩＳ２２０との一方が、原稿の一方の面を読み取る第１の読取手段であり、他方が、該原稿の他方の面を読み取る第２の読取手段である。ここで、ＣＩＳ２２０は画像読取ユニット２１０（ＣＣＤ２１８）と比較すると小型であるので省スペースとして優れているが、画像読取品質は、原稿照射光量が多く被写界深度が深い画像読取ユニット２１０（ＣＣＤ２１８）の方が高い。
【００５４】
以上のように、画像読取装置は、両面同時読み可能な自動原稿供給ユニットを備えて、原稿の表裏の拡大縮小の倍率が異なる場合、自動的反転モードに切り替えて、原稿の表裏の拡大縮小の倍率に応じた搬送速度で原稿を搬送して読み取るようになっている。このため、画像形成装置１００は、原稿を複写した記録の表と裏の画像の品質を同じにすることができて、複写の見栄えを良くすることができる。
【００５５】
なお、原稿の一方の面がカラー画像、他方の面がモノクロ画像の場合、カラー画像を読み取る速度を、モノクロ画像を読み取る場合よりも遅くする必要がある。このような、原稿の読み取りにも、本発明の画像読取装置２００及び画像形成装置１００は、対応することができる。したがって、本発明の画像読取装置と画像形成装置は、原稿の表と裏とを読み取るとき、原稿の搬送速度を変える必要がある場合に対応できるようになっているので、原稿の表と裏との拡大縮小の倍率が異なる場合の原稿の読み取りに限定されるものではない。
【符号の説明】
【００５６】
１１０：制御装置（制御手段）、１５０：操作部、２００：画像読取装置、２１０：画像読取ユニット（第１の読取手段（第２の読取手段））、２１８：ＣＣＤ、２２０：ＣＩＳ（第２の読取手段（第１の読取手段））、２２２：ＤＦ駆動部（原稿搬送手段）、２２５，２２６：搬送ローラ対（回転体対）、２２７：排出ローラ対（回転体対）、２２８：順送路、２２８ａ：原稿排出部、２２９：反転路、２５０：自動原稿供給ユニット、３００：プリンタ部、４００：リーダ制御装置（制御手段）、４０５：ＭＵＸ、４０７：リーダＣＰＵ、Ｐ：記録紙（シート）、ＧＰ：順送路と反転路との合流点。
【図１】
2014165875.tif 000003
【図２】
2014165875.tif 000004
【図３】
2014165875.tif 000005
【図４】
2014165875.tif 000006
【図５】
2014165875.tif 000007
【図６】
2014165875.tif 000008
【図７】
2014165875.tif 000009
【図８】
2014165875.tif 000010
【図９】
2014165875.tif 000011
【図１０】
2014165875.tif 000012
【図１１】
2014165875.tif 000013
【図１２】
2014165875.tif 000014
【図１３】
2014165875.tif 000015